(57)【特許請求の範囲】
【請求項１】
上側壁が除かれた直方体形状をなす菓子類の収納及び陳列用紙箱であって前面壁には切欠部を形成し両側壁の後部の両端には引っ張りフックを形成した糊代が後部壁内面に離脱容易な接着剤で接着され尚且つ切取線によって切離し可能なように形成されていて後部壁には後部壁と底面壁との狭辺部に切離し可能な切取線が形成され後部壁と両糊代の本体からの離脱と後部面の開口を容易にし同一紙箱との接合と一体化を図り商品棚上で展示販売用に供せられる特徴のある菓子類の収納及び陳列用紙箱。
【請求項２】
請求項１記載の引っ張りフックを含む両糊代が後部壁の両端に形成され両側壁の内面に離脱容易な接着剤で接着されていて後部壁には後部壁と底面壁との狭辺部に切離し可能な切取線が形成され後部壁の本体からの離脱と後部壁の開口を容易にし同一紙箱との接合と一体化を図り商品棚上で展示販売用に供せられる特徴のある菓子類の収納及び陳列用紙箱。
【請求項３】
請求項１記載の両糊代が後部壁の外側に接着された菓子類の収納及び陳列用紙箱。
【請求項４】
請求項２記載の両糊代が両側壁の外側に接着された菓子類の収納及び陳列用紙箱。
【請求項５】
請求項１、請求項２、請求項３または請求項４の紙箱で同一の２個の紙箱を接合させる為に底面壁の前面部中央に舌状のフックとそれを差し込む複数の差込口を底面壁に形成している菓子類の収納及び陳列用紙箱。
【発明の詳細な説明】
【０００１】
【発明の属する技術分野】
本発明は菓子類の収納及び陳列用紙箱に関するもの。
【０００２】
【従来の技術】
一般の菓子店やコンビニエンスストアで販売されているチョコレート、ガム、スナック等の小型菓子類はセルフサービスにて販売されているために商品は前面部より売れるにつれて商品が箱の後方に位置して見づらくなったり前後に倒れたり乱雑になりがちであった。商品を前面に美しく並べ揃えた時（以後前進陳列と記載）紙箱内の後方に空間ができ商品の陳列状態が悪くなり度々陳列の手直しが必要となる欠点もあった。その紙箱の空間に菓子類を補充しようと思えば売れた個数しか補充できず残りは他の場所でストックをしなければならない不便さもあった。そこで同種類の菓子入の紙箱を前方に傾斜をつけた商品棚上でその紙箱の後方縦２列に並べる方法を考えつき菓子類のストックは解消されたが前方の菓子箱の売れた分を補充すれば後方の菓子箱に空間が生じ陳列状態の悪さは解消されなかった。
【０００３】
前方の紙箱の菓子類が売れ前進陳列がされた紙箱の後方に１列以上の空間が出来た時前方菓子紙箱の後部壁を手で切取り後方の紙箱の菓子を補充しなくてそのまま前後の菓子紙箱を接合させる方法を見出した。これは商品棚が前方に傾斜がついているため後方の紙箱全体が前方に菓子類を押す圧力となっていつまでも美しく商品が並んでいるが素手で行うと切取り口が乱雑できれいに前後の紙箱を接合させることができなかった。
【０００４】
そこで鋏を使って後部壁の３辺を鋏で切取り前後の菓子箱を接合させる方法を見いだしその結果菓子類が前進陳列され前後の菓子箱には空間もできず菓子類のストックも解消されたが常時鋏を使って後部壁を切取る手間が負担となって今日に至っている。
【０００５】
以上のように従来の菓子紙箱は入荷時そのまま商品棚に並べるため商品の包装と紙箱の外見のデザインを重点にしてきたため商品の補充とストック、紙箱内の空間の解消は二次的なものとなっていた。
【０００６】
【発明が解決しようとする課題】
一般の菓子店やコンビニエンス・ストアーでは１日１５箱以上の菓子類の紙箱が入荷され商品棚に縦２列に並べられた前方の菓子紙箱の後部壁を鋏を使って切除き菓子箱内の商品を前進陳列し紙箱内の空間を解消する作業は大変な負担である。
【０００７】
従って本発明の目的は誰でも簡単に素手で同種の２個の紙箱を接合させ商品展示ができる菓子類の収納及び陳列用紙箱を提供することにある。
【０００８】
【発明が解決するための手段】
かかる状況において本発明は商品を手に取り易くするため紙箱の前面壁に切欠部を形成し後部壁を本体より容易に離脱させるため両糊代と後部壁に切込み線を形成することにより構造も単純で新たな部品もなく従って従来のコストで製作ができ接合させ展示ができる紙箱の本発明の完成をするに至った。
【０００９】
すなわち本請求項１に係る発明は両側壁２の後部に形成された両糊代３が後部壁７の内面に接着された紙箱を掌にのせて商品を前進陳列させ片手で簡単に両引っ張りフック４と両糊代３を引っ張って後部壁７より剥がし両糊代３と後部壁７とを切取るため切取線５・８を形成することを特徴とし素手で紙箱を接合させることができるように発明されている。
【００１０】
また本請求項２に係る発明は後部壁７の両端に形成された両糊代３が両側壁２の内面に接着され両糊代３が両引っ張りフック４を引っ張って両側壁２より剥がされることにより後部壁７を切取るための切取線８を形成することを特徴とし１回の切離し工程によって作業が終わり簡単できれいな切り口を形成するように構成され同一紙箱の接合と一体化を図れるように発明されている。
【００１１】
また本請求項３に係る発明は請求項１記載の両糊代３が後部壁７の外側に接着され両糊代３と後部壁７とを切取るための切取線５・８を形成することを特徴とし前記同様素手で紙箱を接合させることができるよう発明されている。
【００１２】
また本請求項４に係る発明は請求項２記載の両糊代３が両側壁２の外側に接着され後部壁７を切取るための切取り線８を形成することを特徴とし１回の切離し工程によって作業が終わり簡単できれいな切り口を形成するように構成され同一紙箱の接合と一体化を図れるように発明されている。
【００１３】
また本請求項５に係る発明は当該紙箱の底面壁６の前部に舌状のフック１３と当該紙箱内の菓子類の底面幅に合わされた複数の差込口１４を形成することにより後部の紙箱の舌状フック１３を前部紙箱の底面壁６の差込口１４に差込むことにより前後の紙箱はより確実に接続を維持し同一紙箱の接合と一体化を図れるように発明されている。
【００１４】
【発明の実施の形態】
以下図面に示す実施の形態により本発明を詳細に説明する。
【００１５】
図１に示す本発明第１の実施の形態において１はチョコレート、ガム、スナック等菓子類１２（図３参照）が収納され商品棚上で展示されている紙箱であってこの紙箱本体には前記商品１２（図３参照）が見易く取り易くするため切欠部１１が形成されている。
【００１６】
紙箱本体１の両側壁２の後部両端には引っ張りフック４を形成した両糊代３が後部壁７より剥がし易くするため離脱容易な接着剤９で後部壁７の内面に接着され両端より切離し容易な切込み線５が２箇所形成されている。
【００１７】
紙箱本体１の後部壁７と底面壁６との狭辺部には両端より離脱容易な切込み線８が形成されている。
【００１８】
図４に示す前記菓子類１２（図３参照）が販売され紙箱内の個数が減少し１列以上の空間ができると前進陳列を行い両側壁２の引っ張りフック４を内側に引っ張り両糊代３を後部壁７より剥がす。
【００１９】
図５に示す後部壁７が両糊代３より剥がされた後後部壁７を外側方向に倒す。
【００２０】
図６に示す両側壁２の両糊代３をそれぞれ両端より形成された２箇所の切込み線５に沿って両側壁２より素手で切離し後部壁７を両端より形成された切込み線８に沿って底面壁６より素手で切離す。
【００２１】
図３に示す商品１２を前進陳列した後前記各切込み線を切離すことにより簡易できれいな切り口を構成し同一紙箱の接合と一体化を手作業で行うことができる。
【００２２】
２個の紙箱が接合された後商品棚上の商品を消費者が買い上げて手にする時に接合された後部の紙箱が押されて移動することがある。
【００２３】
これを防ぐ為に後部紙箱の底面壁６の前面部に形成された舌状のフック１３を前部紙箱の底面壁６の差込口１４に差込むことにより２個の紙箱の離反を解消し２個の紙箱は接合されたまま陳列される（図１１参照）。
【００２４】
前記記載の紙箱で両側壁２の両端の引っ張りフック４を含む両糊代３が後部壁７の外側に接着されている紙箱であっても同様の作用効果が得られる。
【００２５】
【発明の異なる実施の形態】
図１０に示す本発明の異なる実施の形態について説明する。なお、これらの本発明の異なる実施の形態の説明にあたって前記本発明第１の実施の形態と同一構成部分には同一符号を付け重複する説明を省略する。
【００２６】
図９に示す本発明第２の実施の形態において前記本発明第１の実施の形態と主に異なる点は両引っ張りフック４及び両糊代３が後部壁７の両端に形成され両側壁２の内側もしくは外側に簡易に接着剤９で接着されている点でこの様に構成した紙箱図９にしても前記本発明第１の実施の形態と同様な作用効果が得られる。
【００２７】
【発明の効果】
以上の説明から明らかなように本発明にあたって次に列挙する効果が得られる。
【００２８】
本発明の菓子類の収納及び陳列用紙箱を水平もしくは前面に傾斜のある商品棚上どちらにおいても縦２列に並べる事によりストックが解消しチャンス・ロス（品切れ）を防止できると共に前面部に切欠部を形成されているので商品を取り易く前進陳列の後片手で道具無しで後部壁を切離しができ２個の紙箱が接合でき商品が見やすい陳列状態になると共に商品が前後に倒れることもなく商品の補充が楽な陳列を行うことができる。
【００２９】
本発明の菓子類の収納及び陳列用紙箱は紙箱の製作工程を大幅に変えることもなく又製作コストの上昇もなく菓子類の生産者は早期受注を消費者はいつでも商品を手にすることができる利点もある。
【００３０】
本発明の菓子類の収納及び陳列用紙箱は前部の紙箱内の菓子が販売され個数が減少した時後部紙箱の舌状のフック１３を前部紙箱の差込口１４の前面部に移動し差替えることにより２個の紙箱は新たに接合され常時前進陳列が可能である。
【００３１】
図７に示す本発明の菓子類の収納及び陳列用紙箱は商品１２が前面壁１０より高さが同等もしくは小さくとも前記同様の効果が得られる。
【００３２】
図８に示す本発明の菓子類の収納及び陳列用紙箱は商品１２が前面壁１０より高さが大きくても前記同様の効果が得られる。
【００３３】
本発明の菓子類の収納及び陳列用紙箱は商品が収納された状態でその外側がセロハン紙アルミホイル紙及びボール紙等の外装紙に梱包され輸送されることによりそれら外装紙を剥がすことにより即本発明の機能を発揮することができ又紙箱の用途は箱入りの菓子類に限定されることなくレトルト食品・調味料・スナック・健康食品等箱入りの食品全般はもとより他の産業分野にも応用される収納及び陳列用紙箱である。
【図面の簡単な説明】
【図１】紙箱の全体を示す斜視図である。
【図２】紙箱の全体を示す展開図である。
【図３】紙箱の使用状態を示す斜視図である。
【図４】紙箱の糊代の離脱を示す図である。
【図５】紙箱の後部壁の離脱を示す図である。
【図６】紙箱の糊代・後部壁の本体より離脱を示す図である。
【図７】紙箱の接合例を示す図である。
【図８】紙箱の接合例を示す図である。
【図９】紙箱全体を示す斜視図である。
【図１０】紙箱の全体を示す展開図である。
【図１１】紙箱の接合の底部を示す平面図とＡ−Ａの断面図である。
【符号の説明】
１    紙箱本体
２    側壁
３    糊代
４    引っ張りフック
５，８    切込み線
６    底面壁
７    後部壁
９    接着剤
１０  前面壁
１１  切欠部
１２  商品
１３  舌状フック
１４  差込口
【図１】
0003581930.tif 000002
【図２】
0003581930.tif 000003
【図３】
0003581930.tif 000004
【図４】
0003581930.tif 000005
【図５】
0003581930.tif 000006
【図６】
0003581930.tif 000007
【図７】
0003581930.tif 000008
【図８】
0003581930.tif 000009
【図９】
0003581930.tif 000010
【図１０】
0003581930.tif 000011
【図１１】
0003581930.tif 000012